(57)【要約】【課題】  カードケースに複数種類のカードを納めた際に問題となるのが、必要なカードを見付けるために全てのカードをケースから取り出したり、一枚一枚取り出して目当てのカードか否かを確認したりしなくてはならないことである。【解決手段】  カード１，２は、表面１０，２０と裏面と厚さ方向の側面１２，２２とを有して、側面１２，２２に着色による目印１３，２３が施されている。カード３は、表面と裏面３１と厚さ方向の側面３２とを有して、側面３２に着色による２色の目印３３，３４が施されている。而してこれ等のカード１，２，３をカードケース４に納めたまま目印を一瞥するだけで、目当てのカードを見つけ出すことが出来る。【選択図】図１
2020099657.tif 000002
【特許請求の範囲】
【請求項１】
表面と裏面と厚さ方向の側面とを有するカードの、前記側面にカードの種類を特定し得る目印が施されている、カード。
【請求項２】
表面と裏面と厚さ方向の側面とを有するカードの、前記表面の縁部または前記裏面の縁部にカードの種類を特定し得る目印が施されている、カード。
【請求項３】
前記目印が着色によるものである請求項１または請求項２に記載のカード。
【請求項４】
前記目印が模様によるものである請求項１または請求項２に記載のカード。
【請求項５】
前記目印が文字コードによるものである、請求項１または請求項２に記載のカード。
【請求項６】
紙やプラスチック等から成るカードの縁部に取り付ける枠体であって、該枠体にカードの種類を特定し得る目印が施されている、カード用の枠体。
【請求項７】
前記目印が素材の色によるものまたは着色によるものである請求項６に記載のカード用の枠体。
【請求項８】
前記目印が模様によるものである請求項６に記載のカード用の枠体。
【請求項９】
前記目印が文字コードによるものである、請求項６に記載のカード用の枠体。
【請求項１０】
前記目印が枠体の凹凸によるものである、請求項６に記載のカード用の枠体。
【発明の詳細な説明】
【技術分野】
【０００１】  この発明は、複数種類のカードをカードケースなどに納めた際に、一瞥しただけで必要なカードを見分けることが出来るようにした、カードおよびカード用の枠体に関する。
【背景技術】
【０００２】  現代はクレジットカードやデビットカードやプリペイドカード、またメンバーズカードやポイントカードなど、多くのカードを所有する時代である。今後のキャッシュレス化によって更に多種のカードを持つようになることは必定である。
【発明の概要】
【発明が解決しようとする課題】
【０００３】  カードケースに複数種類のカードを納めた際に問題となるのが、必要なカードを見付けるために全てのカードをケースから取り出したり、一枚一枚取り出して目当てのカードか否かを確認したりしなくてはならないことである。それゆえ支払い時などにレジスターの前でもたついてしまうことになる。【０００４】  当発明者は、複数種類のカードをカードケースに納めたまま一瞥するだけで、目当てのカードを見つけ出すことは出来ないだろうかと考えた。カードの使用に当たってはスピーディーであればあるほど良い。従ってこの発明はこのような問題点の解決を課題とするものである。
【課題を解決するための手段】
【０００５】  上記課題は、表面と裏面と厚さ方向の側面とを有するカードの、前記側面にカードの種類を特定し得る目印が施されている、カードとすることにより達成される。側面にカード毎に異なる目印があれば、たとえ複数枚のカードがカードケースに入れられて重なっていようとも、その重なりの側面を見るだけでどのカードがどこに納められているかを知るのは容易である。【０００６】  ケースの構造によっては、複数枚のカードの側面が順次少しずつずれて納まり、表面の縁部または裏面の縁部が見えているものがある。このような場合に見える表面の縁部または裏面の縁部にカードの種類を特定し得る目印を施すようにしても良い。なお表面の縁部または裏面の縁部に目印があるため、側面の目印はあってもなくても良いが、あれば上述した重なりの側面しか見えないカードケースにも対応可能となる。【０００７】  さて上記目印を着色によるものとすることが出来る。例えばあるカード発行元の色が赤と定まっているのであれば、他のカード発行元の色を青とするのである。また着色は単色である必要はなく、２色以上の着色を施すようにして良い。例えば良く知られているコンビニエンスストアの看板の配色のようなコーポレートカラーは、他社との差別化が計られた上で決められているので、このようなコーポレートカラーをこの会社が発行するカードの側面や表面の縁部や裏面の縁部に施すのである。なお異なる会社であっても似たような色が用いられている場合には、更に別の色を追加するなりして差別化を計るようにすれば良い。なおカード発行元に任せるのではなく、ユーザーがカードに色を塗ったりシールを貼るなどして差別化するシステムとすることも可能である。【０００８】  次に上記目印が模様によるものとすることが出来る。模様は全体であっても一部分だけであっても良い。例えば縦の平行線や横の平行線や斜線、線の太さの異なるものや間隔の異なるもの、ハート形や雪輪模様、青海波や麻の葉や七宝などの一部、等々を表すようにすれば良い。【０００９】  次に上記目印が文字コードによるものとすることが出来る。例えば社名をモールス信号で表したものを用いるのである。なお文字コードの目印は偽造防止にもなり得る。【００１０】  また上記課題は、紙やプラスチック等から成るカードの縁部に取り付ける枠体にカードの種類を特定し得る目印が施されている、カード用の枠体とすることにより達成される。この枠体はカードの縁部の一部に取り付けるものであっても、カードの縁部の全周に亘るものであっても良い。【００１１】  カード読み取りが非接触式のものであったり、単に提示すれば良いだけのカードであれば、リーダーの溝に通すことがないので、このような枠体を取り付けてあっても問題はない。逆にこのような枠体があることによる判別性能のメリットの方が重要である。【００１２】  すると枠体は、上述したカードの厚さ方向の側面に対応する側面に目印が施されているものとしても良いし、またカードの表面の縁部または裏面の縁部に対応する縁部に目印が施されているものとしても良い。【００１３】  さて枠体に係る上記目印を素材の発色または着色によるものとすることが出来る。これはカードに付ける目印の説明と同じようである。同様に枠体に係る上記目印が模様によるものとすることが出来る。また同様に枠体に係る上記目印が模様によるものとすることが出来る。また同様に枠体に係る上記目印が文字コードによるものとすることが出来る。【００１４】  次に、枠体に係る上記目印が枠体の凹凸によるものとすることが出来る。凹凸は例えば図形や記号のようなものとしたり、また例えばギザギザのような構造とするなど、任意に構成することが出来る。カードそのものにはこのような凹凸を付けることは仕様上難しくあるが、枠体であれば問題は少ない。このように枠体の凹凸もカードの判別に役立つものである。
【発明の効果】
【００１５】  この発明ではカードの側面に目印を施したり、カードの表面の縁部や裏面の縁部に目印を施したり、カードの縁部に取り付ける枠体に目印を施したりするようにした。この結果複数種類のカードが重なっていても、目印を見るだけでどのカードがどこに納められているかを簡単に知ることが出来るようになった。
【図面の簡単な説明】
【００１６】
【図１】  実施例１の説明図である。
【図２】  実施例１の使用状態を模式的に表した説明図である。
【図３】  実施例２の説明図である。
【図４】  実施例３の説明図である。
【図５】  実施例４の説明図である。
【図６】  実施例４の使用状態を模式的に表した説明図である。
【図７】  実施例５の説明図である。
【図８】  実施例５の使用状態を模式的に表した説明図である。
【発明を実施するための形態】
【実施例１】
【００１７】  図１及び図２によりこの実施例を説明する。カード１，２は表面１０，２０および側面１２，２２が表されており、カード３は裏面３１および側面３２が表されている。カード１の厚さ方向の側面１２の内、上側の側面に着色による目印１３が付されている。カード２の厚さ方向の側面２２の内、上側の側面に着色による目印２３が付されている。カード３の厚さ方向の側面３２の内、上側の側面の左右の半分ずつに着色による目印３３，３４が付されている。目印１３，２３並びに目印３３および３４は、各々のカード１，２，３の発行会社のコーポレートカラーである。カード１，２に付いては単色の目印１３，２３で、カード３に付いては２色の目印３３および３４で表されている。従って目印でカードの種類をユーザーに判別・特定させることが出来る。【００１８】  図２はカード１，２，３を納めたカードケース４を表し、カードケース４の口の側からすなわちカード１，２，３の上側から見た状態を表す。カードケース４にカード１，２，３を束ねて入れると、カードケース４の口には目印１３，２３並びに目印３３および３４が見えている。従ってカードケース４からカード１，２，３を一枚ずつ引き出して見なくとも、どのカードがどこに入っているかが一瞥して分かるのである。すなわち慣れさえすれば一瞬たりとも迷うことなく目的のカードを取り出すことが出来るようになる。
【実施例２】
【００１９】  図３で表したこの実施例のカード５は、表面５０と裏面５１と厚さ方向の側面５２とを有し、上側の側面５２に丸い模様の目印５３が付されている。なお同様の目印は図示しない下側の側面にも付されている。これはカードの上下に気を遣うことなくカードケースの中に収めることが出来るようにとの、実用上の配慮である。【００２０】  丸い模様の目印５３を一瞥すれば、このカード５がどの発行会社のものであるかが容易に分かる。
【実施例３】
【００２１】  図４で表すこの実施例のカード５４は表面５５と裏面５６と厚さ方向の側面とを有し、その上側の側面５７に文字コードによる目印５８が付されている。なお同様の目印は図示しない下側の側面にも付されている。【００２２】  このような目印５８の文字コードによって発行会社を知ることが出来る。文字コードは必ずしも読まれる必要はなく、慣れによって感覚的に判別することが出来るようになる。なおこの実施例の文字コードはモールス符号の「イロハ」である。
【実施例４】
【００２３】  図５及び図６によりこの実施例を説明する。カード１４，２４は表面１５，２５および側面１７，２７が表されており、カード３５は裏面３７および側面３８が表されている。カード１４の表面１５の縁部に付きその全周部分に着色による目印１８が付されている。カード２４の表面５５の縁部に付きその全周部分に着色による目印２８が付されている。カード３５の裏面３７の縁部の内、上側の左右の半分ずつに着色による目印３９，３００が付されている。これ等の目印１８，２８並びに目印３９および３００は、各々のカード１４，２４，３５の発行会社のコーポレートカラーである。カード１４，２４に付いては単色の目印１８，２８で、カード３５に付いては２色の目印３９および３００で表されている。従って目印でカードの種類をユーザーに判別・特定させることが出来る。【００２４】  図６にカード１４，２４，３５を納めたカードケース６を横方から見た断面図で表す。カードケース６にカード１４，２４，３５を束ねて入れると、カードケース６の底部にあるスペーサ６０，６１の作用によって、カードケース６の口では手前側から順に、後ろのカードほど高い位置にカード１４，２４，３５が配置され、各々のカード目印１８，２８並びに目印３９および３００がカードケース６の前方から見える。従ってカードケース６からカード１４，２４，３５を一枚ずつ引き出して見なくとも、どのカードがどこに入っているかが一瞥して分かるのである。すなわち慣れさえすれば一瞬たりとも迷うことなく目的のカードを取り出すことが出来るようになる。
【実施例５】
【００２５】  図７及び図８によりこの実施例を説明する。この実施例はカードＣの周囲に被せるようにして取り付けるための枠体７であって、柔軟で幾分伸縮性のある合成樹脂製の枠体７は４方の側面７０と、表裏の窓部７１とから構成されている。この内の上下の側面７０には凹部と凸部とが交互に現れる波が形成されているおり、これがこの実施例の目印７２なのであり、このような凹凸のある目印を設けることが出来るのは枠体の特長である。【００２６】  図８はカードＣを納めた枠体７を横方から見た断面図である。枠体７はカードＣの全周縁部のみを覆っている。このような枠体７に取り付けたカードＣをカードケースに納めた場合、枠体７の側面７０の目印７２を見分けることで目当てのカードＣを見つけることが出来る。なおカードＣに枠体７を被せるようにして取り付けるのではなく、枠体の側面に開口部を設けるなどして、ここからカードＣを抜き差しし得るように設計することも可能である。【００２７】  なおこのような枠体は内側に粘着面を設けた紙製のものとしても実現可能である。紙製の良さは薄いと言うことにある。【００２８】  なお目印には実施例１乃至実施例３で説明した着色によるもの、模様によるもの、文字コードによるものを任意に採用することが出来る。着色は枠体の素材の色としても良い。これ等の目印が印刷で付すことが出来るのも良い。また実施例４のようにして、カードの表裏面の縁部に相当する枠体の部位に目印を設けるようにしても良い。
【産業上の利用可能性】
【００２９】  この発明によれば、カードケースに納めていても一瞥してカードを判別することが出来るようになるため、この発明の産業上の利用価値には極めて高いものがある。
【符号の説明】
【００３０】１    カード          １０  表面          １２  側面          １３  目印
１４  カード          １５  表面          １７  側面          １８  目印
２    カード          ２０  表面          ２２  側面          ２３  目印
２４  カード          ２５  表面          ２７  側面          ２８  目印
３    カード          ３１  裏面          ３２  側面          ３３  目印
３４  目印            ３５  カード        ３７  裏面          ３８  側面
３９  目印            ３００目印
４    カードケース    Ｃ    カード
５    カード          ５０  表面          ５１  裏面          ５２  側面
５３  目印            ５４  カード        ５５  表面          ５６  裏面
５７  側面            ５８  目印
６    カードケース    ６０  スペーサ      ６１  スペーサ
７    枠体            ７０  側面          ７１  窓部          ７２  目印
【図１】
2020099657.tif 000003
【図２】
2020099657.tif 000004
【図３】
2020099657.tif 000005
【図４】
2020099657.tif 000006
【図５】
2020099657.tif 000007
【図６】
2020099657.tif 000008
【図７】
2020099657.tif 000009
【図８】
2020099657.tif 000010